(57)【要約】【課題】比較的簡単な構成で、配索部材をアッパーフレームに対して固定するとともに、配索部材が板状部材に干渉するのを防止する。【解決手段】ガイド部材４０は、配索部材３０の配索経路に沿って延びる棒状の部材で構成され、アッパーフレーム２０に対して所定の隙間を存するように配設される。補強梁２５を跨ぐように延びるガイド部材４０には、その一部が補強梁２５に向かって折り曲げられることで受け部４２が形成される。受け部４２は、補強梁２５と配索部材３０との間に位置しており、配索部材３０が補強梁２５に干渉しないように配索部材３０を受け止めている。【選択図】図６
2016180258.tif 000002
【特許請求の範囲】
【請求項１】
底板と該底板に立設された板状部材とを有するアッパーフレームを備え、可撓性を有する長尺の配索部材を該アッパーフレーム上に配索させるための建設機械の配索構造であって、
前記アッパーフレームに対して所定の隙間を存するように配設され且つ前記配索部材の配索経路に沿って延びる棒状のガイド部材と、
前記ガイド部材に沿って配索された前記配索部材を束ねて該ガイド部材に固定させる結束バンドとを備え、
前記ガイド部材は、前記板状部材と該配索部材との間に位置するようにその一部を折り曲げることで形成された受け部を有することを特徴とする建設機械の配索構造。
【請求項２】
請求項１において、
前記結束バンドは、前記受け部の両外側にそれぞれ配設されて前記配索部材を前記ガイド部材に固定していることを特徴とする建設機械の配索構造。
【請求項３】
請求項１又は２において、
前記受け部は、前記板状部材に向かって鈍角となるように折り曲げられていることを特徴とする建設機械の配索構造。
【請求項４】
請求項１乃至３のうち何れか１つにおいて、
前記ガイド部材は、前記底板に当接するようにその一部を折り曲げることで形成された当接部を少なくとも１つ有し、
前記当接部は、前記底板における前記板状部材の下端部寄りの位置に固定されていることを特徴とする建設機械の配索構造。
【請求項５】
請求項１乃至４のうち何れか１つにおいて、
前記ガイド部材は、前記受け部よりも前記板状部材に向かって突出して延びる突出部を有することを特徴とする建設機械の配索構造。
【発明の詳細な説明】
【技術分野】
【０００１】
本発明は、建設機械の配索構造に関するものである。
【背景技術】
【０００２】
従来より、下部走行体と、下部走行体上に旋回可能に搭載された上部旋回体とを備えた建設機械が知られている。上部旋回体には、コントロールバルブ等の油圧機器や各種電気機器が配設されている（例えば、特許文献１参照）。
【０００３】
ここで、油圧機器に接続された油圧配管や電気機器に接続された電気配線は、上部旋回体のアッパーフレームを構成している板状部材（例えば、縦板や横梁等）の鋭利な角部に干渉して傷付くおそれがあるため、油圧配管や電気配線が配索位置で動かないように固定する必要がある。
【０００４】
具体的には、アッパーフレームの複数箇所にナット部材やクリップ部材を溶接しておき、アッパーフレームに沿って油圧配管や電気配線を配索させて、ナット部材に締結させた保持具やクリップ部材で保持するようにしている。
【先行技術文献】
【特許文献】
【０００５】
【特許文献１】特許第４０８９９６９号公報
【発明の概要】
【発明が解決しようとする課題】
【０００６】
ところで、近年の建設機械では、性能を向上させるための搭載物の数が増加しており、それに伴って油圧配管や電気配線等の配索部材の本数も増加している。また、安全性や強度を向上させるために、アッパーフレームを補強するための補強梁等の板状部材の数が増加している。
【０００７】
しかしながら、従来のように、アッパーフレームの複数箇所にナット部材やクリップ部材を溶接した構成では、配索部材の本数が多くなると、それに伴ってナット部材やクリップ部材の部品点数も多くなってしまい、全体として溶接量や溶接作業時間が増加してしまうという問題があった。
【０００８】
また、特に、小型の建設機械では、搭載物同士、又は搭載物とアッパーフレームとの隙間が非常に狭くなっており、この狭い隙間を通るように配索部材を配索させる必要があるので、配索部材が板状部材に干渉しやすくなるという問題があった。
【０００９】
本発明は、かかる点に鑑みてなされたものであり、その目的は、比較的簡単な構成で、配索部材をアッパーフレームに対して固定するとともに、配索部材が板状部材に干渉するのを防止することにある。
【課題を解決するための手段】
【００１０】
本発明は、底板と該底板に立設された板状部材とを有するアッパーフレームを備え、可撓性を有する長尺の配索部材を該アッパーフレーム上に配索させるための建設機械の配索構造を対象とし、次のような解決手段を講じた。
【００１１】
すなわち、第１の発明は、前記アッパーフレームに対して所定の隙間を存するように配設され且つ前記配索部材の配索経路に沿って延びる棒状のガイド部材と、
前記ガイド部材に沿って配索された前記配索部材を束ねて該ガイド部材に固定させる結束バンドとを備え、
前記ガイド部材は、前記板状部材と該配索部材との間に位置するようにその一部を折り曲げることで形成された受け部を有することを特徴とするものである。
【００１２】
第１の発明では、ガイド部材は、アッパーフレームに対して所定の隙間を存するように配設される。ガイド部材の一部を折り曲げることで形成された受け部は、板状部材と配索部材との間に位置している。配索部材は、ガイド部材に沿って配索されており、結束バンドによって束ねられてガイド部材に固定される。
【００１３】
このような構成とすれば、配索部材をアッパーフレームに対して固定する際に、従来のようなナット部材やクリップ部材を用いる必要が無く、部品点数の削減や作業負荷の軽減を図ることができる。
【００１４】
また、建設機械の走行中の振動や油圧配管の脈動等によって、配索部材がガイド部材の外周面に沿って移動しようとしても、ガイド部材の受け部によって配索部材が受け止められることとなるので、配索部材が板状部材に干渉して傷付くおそれがない。また、ガイド部材が振動した場合には、配索部材が板状部材に干渉する前に、受け部が板状部材に接触することとなるので、配索部材が傷付くおそれがない。
【００１５】
第２の発明は、第１の発明において、
前記結束バンドは、前記受け部の両外側にそれぞれ配設されて前記配索部材を前記ガイド部材に固定していることを特徴とするものである。
【００１６】
第２の発明では、配索部材は、受け部の両外側に配設された２つの結束バンドで固定される。これにより、例えば、配索作業中の配索部材の長さが設計上の寸法よりも長かった場合でも、２つの結束バンドの間で配索部材を湾曲させることで、その余剰分を許容しつつ配索作業を行うことができる。
【００１７】
第３の発明は、第１の発明において、
前記受け部は、前記板状部材に向かって鈍角となるように折り曲げられていることを特徴とするものである。
【００１８】
第３の発明では、配索部材を受け部に沿って配索させたときに、配索部材の曲げ半径を大きく確保することができるので、配索部材と受け部との接触位置に加わる荷重を低減することができる。
【００１９】
第４の発明は、第１又は第２の発明において、
前記ガイド部材は、前記底板に当接するようにその一部を折り曲げることで形成された当接部を少なくとも１つ有し、
前記当接部は、前記底板における前記板状部材の下端部寄りの位置に固定されていることを特徴とするものである。
【００２０】
第４の発明では、当接部は、底板における板状部材の下端部寄りの位置に固定される。このように、アッパーフレームにおける剛性の高い位置に当接部を溶接等によって固定することで、建設機械の走行中に振動が発生しても、その振動がガイド部材に伝わりにくくなり、溶接ビードに亀裂が生じるおそれを軽減することができる。また、ガイド部材が振動しにくくなるため、ガイド部材が板状部材に干渉しにくくなる。
【００２１】
また、ガイド部材の当接部を底板に当接させているから、配索部材の本数が多くなっても、棒状のガイド部材が撓まないように底板で支持することができ、配索部材を配索位置で確実に固定することができる。
【００２２】
第５の発明は、第１乃至第４の発明のうち何れか１つにおいて、
前記ガイド部材は、前記受け部よりも前記板状部材に向かって突出して延びる突出部を有することを特徴とするものである。
【００２３】
第５の発明では、建設機械の走行中にガイド部材が振動しても、配索部材が板状部材に干渉する前に、突出部が板状部材に接触することとなるので、配索部材が傷付くおそれがない。
【発明の効果】
【００２４】
本発明によれば、建設機械の走行中の振動や油圧配管の脈動等によって、配索部材がガイド部材の外周面に沿って移動しようとしても、ガイド部材の受け部によって配索部材が受け止められることとなるので、配索部材が板状部材に干渉して傷付くおそれがない。また、ガイド部材が振動した場合でも、配索部材が板状部材に干渉する前に、受け部が板状部材に接触することとなるので、配索部材が傷付くおそれがない。
【図面の簡単な説明】
【００２５】
【図１】本発明の実施形態に係る建設機械の構成を示す側面図である。
【図２】アッパーフレームの構成を示す斜視図である。
【図３】ガイド部材を右前方から見たときの斜視図である。
【図４】ガイド部材を左前方から見たときの斜視図である。
【図５】配索部材を右前方から見たときの斜視図である。
【図６】配索部材を左前方から見たときの斜視図である。
【図７】配索部材の配索経路を示す平面図である。
【図８】本変形例に係るガイド部材の構成を示す斜視図である。
【発明を実施するための形態】
【００２６】
以下、本発明の実施形態を図面に基づいて説明する。なお、以下の好ましい実施形態の説明は、本質的に例示に過ぎず、本発明、その適用物或いはその用途を制限することを意図するものではない。各図には、上下や前後左右の方向を矢印で示してある。特に言及しない限り、上下等の方向についてはこれら矢印で示す方向に従って説明する。
【００２７】
《実施形態１》
図１は、本発明の実施形態１に係る建設機械の構成を示す側面図である。図１に示すように、この建設機械１０は、後方小旋回型の小型機種であり、クローラ式の下部走行体１１と、下部走行体１１上に旋回自在に搭載された上部旋回体１２とを備えている。上部旋回体１２のアッパーフレーム２０は、円環状の旋回ベアリング２８を介して下部走行体１１に旋回可能に支持されている。
【００２８】
上部旋回体１２の後側には、図示しないエンジン等が収容されるエンジンルームを覆うエンジンカバー１５が設けられている。上部旋回体１２の右側には、図示しない燃料タンクや作動油タンク等が収容される側部機械室を覆う機械室カバー１６が設けられている。上部旋回体１２の左側には、運転シートや操作レバー等を備えた操作スペース１７が配置され、上部旋回体１２の上側には、操作スペース１７の上方を覆うようにフード１８が設置されている。
【００２９】
上部旋回体１２の前側には、アタッチメント１３が取り付けられている。アタッチメント１３は、掘削作業等を行うためのものであり、基端部が上部旋回体１２に回動可能に取り付けられたブーム１３ａと、ブーム１３ａの先端側に回動可能に取り付けられたアーム１３ｂと、アーム１３ｂの先端側に回動可能に取り付けられたバケット１３ｃとを有する。
【００３０】
この建設機械１０では、操作レバー等を操作することにより、ブーム１３ａ、アーム１３ｂ、及びバケット１３ｃにそれぞれ対応する油圧シリンダ１３ｄを伸縮させることで、アタッチメント１３を起伏自在に動かすことができる。
【００３１】
図２に示すように、アッパーフレーム２０は、底板２１と、底板２１に立設されて前後方向に延びる左右一対の縦板２２と、一対の縦板２２同士を連結するように左右方向に延びる横梁２３と、底板２１の左前部に立設されて操作スペース１７の床板を支持する支柱２４と、底板２１に立設されて前後方向に延び且つその前端部が支柱２４に溶接された補強梁２５とを備えている。本実施形態では、補強梁２５が、底板２１に立設された板状部材を構成している。
【００３２】
一対の縦板２２は、アッパーフレーム２０の左右方向における中央部位に配置されており、前後方向の強度及び剛性を強化している。補強梁２５は、側面視で上端面から後端面にかけて湾曲状に切り欠かれた形状となっている（図４参照）。
【００３３】
アッパーフレーム２０には、図示しない油圧機器や各種電気機器が配設されている。油圧機器に接続された油圧配管や電気機器に接続された電気配線（以下、これらの可撓性を有する長尺の配管や配線を配索部材３０という）は、補強梁２５の切り欠き部分を横切るように配索される（図５参照）。
【００３４】
ここで、配索部材３０は、補強梁２５の鋭利な角部に干渉して傷付くおそれがあるため、配索位置で動かないように固定する必要がある。具体的に、配索部材３０の配索経路上には、ガイド部材４０が配設されている。
【００３５】
図３及び図４に示すように、ガイド部材４０は、配索部材３０の配索経路に沿って延びる棒状の部材で構成され、アッパーフレーム２０の底板２１や補強梁２５に対して隙間を存するように配設されている。
【００３６】
ガイド部材４０は、一方の端部から他方の端部にかけて複数回折り曲げることで、底板２１に取り付ける取付部４５と、底板２１に当接する当接部４３と、配索部材３０を受け止める受け部４２とを有する形状に形成されている。
【００３７】
具体的に、ガイド部材４０の左端部には、ガイド部材４０を下方に向かって折り曲げることで左側の取付部４５が形成される。左側の取付部４５は、補強梁２５よりも左後方に配設され、底板２１に溶接されて固定されている。
【００３８】
ガイド部材４０は、左側の取付部４５から前方に向かって斜め下方に傾斜するように折り曲げられている。これにより、ガイド部材４０には、その外周面の一部が底板２１に当接する左側の当接部４３が形成される。左側の当接部４３は、底板２１における補強梁２５の左側の下端部寄りの位置に当接しており、底板２１に溶接されて固定されている。
【００３９】
ガイド部材４０は、左側の当接部４３から前方に向かって補強梁２５の左側壁に沿って斜め上方に傾斜するように折り曲げられている。その後、ガイド部材４０は、補強梁２５に形成された湾曲状の切り欠き部分を横切って補強梁２５を跨ぐように、右方に向かって折り曲げられている。
【００４０】
ここで、補強梁２５を跨ぐように折り曲げられたガイド部材４０には、その一部が補強梁２５に向かって折り曲げられることで受け部４２が形成される。受け部４２は、補強梁２５に向かって鈍角となるように折り曲げられている。受け部４２は、ガイド部材４０に沿って配索された配索部材３０と補強梁２５との間に配設されている（図５参照）。
【００４１】
これにより、建設機械１０の振動等によって配索部材３０がガイド部材４０の外周面に沿って移動しようとしても、受け部４２によって配索部材３０が受け止められることとなるので、配索部材３０が補強梁２５に干渉して傷付くのを防止できる。
【００４２】
また、受け部４２を、補強梁２５に向かって鈍角となるように折り曲げることで、配索部材３０を受け部４２に沿って配索させたときに、配索部材３０の曲げ半径を大きく確保することができるので、配索部材３０と受け部４２との接触位置に加わる荷重を低減することができる。なお、受け部４２の曲げ角度は、配索部材３０の移動を規制したり保護することが可能な範囲で、できる限り緩やかな角度に設定するのが好ましい。
【００４３】
ガイド部材４０は、補強梁２５を跨ぐように折り曲げられた後で、右方に向かって斜め下方に傾斜するように折り曲げられている。これにより、ガイド部材４０には、その外周面の一部が底板２１に当接する右側の当接部４３が形成される。右側の当接部４３は、底板２１における補強梁２５の右側の下端部寄りの位置に当接しており、底板２１に溶接されて固定されている。
【００４４】
ガイド部材４０は、右側の当接部４３から右方に向かって斜め上方に傾斜するように折り曲げられた後、さらに、後方に向かって折り曲げられている。ガイド部材４０の右端部には、ガイド部材４０を下方に向かって折り曲げることで右側の取付部４５が形成される。右側の取付部４５は、補強梁２５よりも右後方に配設され、底板２１に溶接されて固定されている。
【００４５】
図５〜図７に示すように、配索部材３０は、ガイド部材４０に沿って配索されている。ガイド部材４０の受け部４２の両外側には、２つの結束バンド３５が配設されている。配索部材３０は、結束バンド３５によって束ねられてガイド部材４０に固定されている。
【００４６】
これにより、例えば、配索作業中の配索部材３０の長さが設計上の寸法よりも長かった場合でも、図７の仮想線で示すように、２つの結束バンド３５の間で配索部材３０を湾曲させることで、その余剰分を許容しつつ配索作業を行うことができる。
【００４７】
以上のように、本実施形態の建設機械１０の配索構造によれば、配索部材３０をアッパーフレーム２０に対して固定する際に、従来のようなナット部材やクリップ部材を用いる必要が無く、部品点数の削減や作業負荷の軽減を図ることができる。
【００４８】
また、建設機械１０の走行中の振動や油圧配管の脈動等によって、配索部材３０がガイド部材４０の外周面に沿って移動しようとしても、ガイド部材４０の受け部４２によって配索部材３０が受け止められることとなるので、配索部材３０が補強梁２５に干渉して傷付くおそれがない。また、ガイド部材４０が振動した場合には、配索部材３０が補強梁２５に干渉する前に、受け部４２が補強梁２５に接触することとなるので、配索部材３０が傷付くおそれがない。
【００４９】
《変形例》
図８は、本変形例に係るガイド部材の構成を示す斜視図である。以下、前記実施形態と同じ部分については同じ符号を付し、相違点についてのみ説明する。図８に示すように、ガイド部材４０は、配索部材３０の配索経路に沿って延びる棒状の部材で構成され、アッパーフレーム２０の底板２１や補強梁２５に対して隙間を存するように配設されている。
【００５０】
ガイド部材４０は、一方の端部から他方の端部にかけてガイド部材４０を複数回折り曲げることで、底板２１に取り付ける取付部４５と、底板２１に当接する当接部４３と、配索部材３０を受け止める受け部４２と、受け部４２よりも補強梁２５に向かって突出して延びる突出部４６とを有する形状に形成されている。
【００５１】
突出部４６は、受け部４２の上端部を補強梁２５に向かってさらに折り曲げることで形成されている。これにより、建設機械１０の走行中にガイド部材４０が振動しても、配索部材３０が補強梁２５に干渉する前に、突出部４６が補強梁２５に接触することとなるので、配索部材３０が傷付くおそれがない。
【産業上の利用可能性】
【００５２】
以上説明したように、本発明は、比較的簡単な構成で、配索部材をアッパーフレームに対して固定するとともに、配索部材が板状部材に干渉するのを防止できるという実用性の高い効果が得られることから、きわめて有用で産業上の利用可能性は高い。
【符号の説明】
【００５３】
１０    建設機械
２０    アッパーフレーム
２１    底板
２５    補強梁（板状部材）
３０    配索部材
３５    結束バンド
４０    ガイド部材
４２    受け部
４３    当接部
４６    突出部
【図１】
2016180258.tif 000003
【図２】
2016180258.tif 000004
【図３】
2016180258.tif 000005
【図４】
2016180258.tif 000006
【図５】
2016180258.tif 000007
【図６】
2016180258.tif 000008
【図７】
2016180258.tif 000009
【図８】
2016180258.tif 000010